(57)【要約】 【課題】開口性および物理的強度を損なうことなく、開口部の開口面積をさらに拡大し得るステイオンタブ方式の易開封性缶蓋を提供する。【解決手段】リベット部３と缶蓋本体２の周縁部との間に開口予定領域４を画定するスコア５を刻設すると共に、スコア５のリベット部３近傍部分を一部開いて開口予定領域４の内部と外部をつなぐヒンジ部６とし、リベット部３に固定されるタブ７によって開口予定領域４を押し込んでスコア５を開口予定領域４の周縁に沿って破断して開口部８を形成し、破断した開口片９をヒンジ部６にて屈曲させて缶内に折り込む構造で、リベット部３の位置を缶蓋本体２の中心Ｏに対して基準線Ｎに沿って開口予定領域４と反対側に所定寸法（Ｘ）だけ偏芯させて開口部長さ（Ｌ）を長くし、開口部長さ（Ｌ）に対する開口部幅（Ｗ）の比率である開口部幅比α（＝Ｗ／Ｌ）が一定の範囲に入るように、開口部幅（Ｗ）を広げて開口面積を拡大した。【選択図】  図１
2006131236.tif 000002
【特許請求の範囲】
【請求項１】
缶蓋本体に突設したリベット部と缶蓋本体の周縁部との間に開口予定領域を画定する環状のスコアを刻設すると共に、該スコアのリベット部近傍部分を一部開いて開口予定領域内部と外部をつなぐヒンジ部とし、
前記リベット部に固定され先端部が開口予定領域に当接するタブによって開口予定領域を押し込んでスコアをヒンジ部の一端からヒンジ部の他端まで開口予定領域の周縁に沿って破断して開口部を形成し、破断した開口片をヒンジ部にて屈曲させて缶内に折り込む構造で、
前記リベット部とタブの中心を通る線を基準線とすると、開口予定領域の基準線方向の最大長さである開口部長さ（Ｌ）よりも基準線と直交する方向の最大幅である開口部幅（Ｗ）を大きくして広口とした易開封性缶蓋であって、
リベット部の位置を缶蓋本体の中心に対して基準線に沿って開口予定領域と反対側に偏芯させて開口部長さ（Ｌ）を長くし、開口部長さ（Ｌ）に対する開口部幅（Ｗ）の比率である開口部幅比α（＝Ｗ／Ｌ）が所定比率となるように、開口部幅（Ｗ）を広げたことを特徴とする易開封性缶蓋。
【請求項２】
開口部幅比αを１．２〜１．４程度としたことを特徴とする請求項１に記載の易開封性缶蓋。
【発明の詳細な説明】
【技術分野】
【０００１】
本発明は、いわゆるステイオンタブ方式の易開封性缶蓋に関し、特に開口部を広口とした易開封性缶蓋に関する。
【背景技術】
【０００２】
従来のこの種のステイオンタブ方式の易開封性缶蓋の開口部は、特許文献１に記載のような縦長形状が一般的であるが、近年、内容物の多様化に伴い、開口部の拡大が検討されている。
図３は、従来の開口部を広口とした易開封性缶蓋の一例である。
すなわち、従来の易開封性缶蓋１０１は、缶蓋本体１０２の中心Ｏに突設されたリベット部１０３と缶蓋本体１０２の周縁部との間に、開口予定領域１０４を画定する環状のスコア１０５が刻設されている。スコア１０５のリベット部１０３近傍部分は一部開いて開口予定領域１０４内部と外部をつなぐヒンジ部１０６となっており、リベット部１０３に固定されたタブ１０７の先端部１０７ａによって開口予定領域１０４を押し込み、スコア１０５をヒンジ部１０６の一端から他端まで開口予定領域１０４の周縁に沿って破断して開口部１０８を形成し、破断した開口片１０９をヒンジ部１０６にて屈曲させて缶内に折り込む構造となっている。
【０００３】
開口部１０８は一般的なステイオンタブ方式の易開封性缶蓋に比べて広口に拡大されている。開口部１０８を拡大する場合、リベット部１０３とタブ１０７の中心を通る線を基準線Ｎとすると、基準線Ｎと交差する外周側開口部先端位置１０５Ｃは蓋本体１０２の外周縁により規制され、リベット部１０３側の初期開口位置１０５Ｄはリベット部１０３により規制されるため、開口部１０８の左右横方向のスペースを利用し、基準線Ｎと直交する方向の最大幅である開口部幅Ｗを拡大して開口面積の増大が図られている。
【０００４】
しかしながら、開口部幅Ｗを拡大すると、タブ１０７の先端部１０７ａからスコア１０５の左右湾曲部１０５Ａ，１０５Ｂまでの距離が長くなるために、スコア１０５を破断するためにはタブ１０７を強く押し込む必要があり、開口性が悪くなってしまう。そこで、従来からスコアの切り込み残厚（スコアレジデュアル）を薄くして対処しているが、切り込み残厚を薄くすると開口性はよくなるものの物理強度が低下するので、薄くするにも限界があり、結果的に開口性とスコアの物理強度により開口部の面積が制限されるのが現状である。現行の２０６径，２０４径では、開口部幅Ｗを２５ｍｍ程度まで拡大するのが限界で、さらなる横幅の拡大が求められている。
【０００５】
このような要請に応えるべく、開口性について鋭意検討した結果、開口部の開口部長さＬに対する開口部幅Ｗの比率である開口部幅比α（＝Ｗ／Ｌ）が小さいと開けやすく、大きくなると開けにくくなることから、開口部幅比αを一定値以下に保持した状態であれば開口部幅Ｗを拡大しても開口性を維持できるとの着想を得た。
【特許文献１】特開平１０−２４５０３２号公報
【発明の開示】
【発明が解決しようとする課題】
【０００６】
本発明は上記した従来技術の課題を解決するためになされたもので、その目的とするところは、開口性および物理的強度を損なうことなく、開口部幅を可及的に拡大し得るステイオンタブ方式の易開封性缶蓋を提供することにある。
【課題を解決するための手段】
【０００７】
上記目的を達成するために、請求項１に係る発明は、缶蓋本体に突設したリベット部と缶蓋本体の周縁部との間に開口予定領域を画定する環状のスコアを刻設すると共に、スコアのリベット部近傍部分を一部開いて開口予定領域内部と外部をつなぐヒンジ部とし、リベット部に固定され先端部が開口予定領域に当接するタブによって開口予定領域を押し込んでスコアをヒンジ部の一端からヒンジ部の他端まで開口予定領域の周縁に沿って破断して開口部を形成し、破断した開口片をヒンジ部にて屈曲させて缶内に折り込む構造で、リベット部とタブの中心を通る線を基準線とすると、開口予定領域の基準線方向の最大長さである開口部長さ（Ｌ）よりも基準線と直交する方向の最大幅である開口部幅（Ｗ）を大きくして広口とした易開封性缶蓋であって、
リベット部の位置を缶蓋本体の中心に対して基準線に沿って開口予定領域と反対側に偏芯させて開口部長さ（Ｌ）を長くし、開口部長さＬに対する開口部幅Ｗの比率である開口部幅比α（＝Ｗ／Ｌ）が適正範囲に入るように、開口部幅（Ｗ）を広げたことを特徴とする。
【０００８】
請求項２に係る発明は、開口部幅比αの適正範囲は１．２〜１．４程度としたことを特徴とする。
【発明の効果】
【０００９】
請求項１に係る発明によれば、リベット部位置を缶蓋本体の中心に対して開口予定領域と反対側に偏芯させることにより、その分だけ開口部長さを長くして開口部幅比を小さくできるので、スコアの物理的強度および適切な開口性を維持しながら開口部幅を可及的に大きくして開口面積増大を図ることができる。
【００１０】
請求項２に係る発明によれば、開口部幅比を１．２〜１．４程度に設定しているので、スコアの適切な強度を保ちつつ、開口性を良好に維持できる。
【発明を実施するための最良の形態】
【００１１】
以下に本発明を図示の実施の形態に基づいて説明する。
図１及び図２は、本発明の実施の形態に係る易開封性缶蓋を示している。
図に示すように、この易開封性缶蓋１は、缶蓋本体２に突設したリベット部３と缶蓋本体２の周縁部との間に開口予定領域４を画定する環状のスコア５を刻設すると共に、スコア５のリベット部３近傍部分を一部開いて開口予定領域４の内部と外部をつなぐヒンジ部６とし、リベット部３に固定され先端部が開口予定領域に当接するタブ７によって開口予定領域４を押し込んでスコア５をヒンジ部６の一端から他端まで開口予定領域４の周縁に沿って破断して開口部８を形成し、破断した開口片９をヒンジ部７にて屈曲させて缶内に折り込む構造となっている。
【００１２】
缶蓋本体２は、円板状のパネル部２１と、このパネル部２１の周縁から立ち上がる周壁部２２と、この周壁部２２から外側に向かって延びて不図示の缶本体に巻き締められる巻締めカール部２３と、を備えた構成となっている。缶蓋本体２のパネル部２１には、開口予定領域４とタブ６を取り囲むように一段低くした扇状形状の段差２５が設けられている。
【００１３】
スコア５は、主スコア５１と主スコア５１の内側に所定間隔でもって並行して形成される補助スコア５２とを備えた二重構造で、リベット部３近傍の初期破断部５Ａと、基準線Ｎに対してヒンジ部６と反対側の（図示例では右側）に位置する第１湾曲部５Ｂと、基準線Ｎに対してヒンジ部８側に位置する第２湾曲部５Ｃとを備えている。初期破断部５Ａは基準線Ｎを横切るように形成され、中央部がリベット部３を迂回するように開口予定領域４の中心側に凹状に歪み、両端部が凸形状となっている。第１湾曲部５Ｂのリベット部３側の端部は初期破断部５Ａの一端と接続され、第１湾曲部５Ｂの外周側端部が第２湾曲部５Ｃの外周側端部と基準線Ｎ上の外周側開口部先端位置５Ｄにて接続されている。
スコア５は、初期破断部５Ａから時計回り方向に、第１湾曲５Ｂから第２湾曲部５Ｃに破断が進行する構成で、第２湾曲部５Ｃのスコア終端は、ヒンジ部７を隔てて初期破断部５Ａの一端と対向している。
【００１４】
タブ７は剛性のある板状部材で、タブ７の先端部７１は開口予定領域４内に延びて開口予定領域４を押圧する押圧作用部として機能し、タブ７の他端はリベット部３に対して開口予定領域４と反対側に延びる指掛け部７２となっている。指掛け部７２はリング状で、その中心が基準線Ｎ上に位置する指掛け孔７２ａが設けられ、押圧作用部７１は基準線Ｎ上に曲率中心を有する円弧形状に成形されている。
【００１５】
前記リベット部３とタブ７の中心を通る線を基準線Ｎとすると、開口予定領域４の基準線Ｎ方向の最大長さである開口部長さＬよりも基準線Ｎと直交する方向の最大幅である開口部幅Ｗが大きくなっている。
開口部長さＬは、リベット部３側の初期破断部５Ａと外周側開口部先端位置５Ｄ間の距離である。初期破断部５Ａ両端の凸状部分はリベット部３の位置とほぼ等しいので、開口部長さＬはリベット部３と外周側開口部先端位置５Ｄ間の距離とほぼ等しい。開口部幅Ｗは第１円弧部５Ｂと第２円弧部５Ｃ間の間隔である。
【００１６】
本発明では、リベット部３の位置を缶蓋本体２の中心Ｏに対して基準線Ｎに沿って開口予定領域４と反対側に所定寸法Ｘだけ偏芯させて開口部長さＬを長くし、開口部長さＬに対する開口部幅Ｗの比率である開口部幅比α（＝Ｗ／Ｌ）が一定の範囲に入るように、開口部幅Ｗを広げて開口面積を拡大している。開口部長さＬは、缶蓋本体２の中心Ｏと外周側開口部先端位置５Ｄ間の中心部長さＬ０と偏芯量Ｘとの和（Ｌ＝Ｌ０＋Ｘ）である。
【００１７】
開口性を良好に維持する適切な開口部幅比αは、缶蓋本体２の材質、直径寸法、肉厚寸法、スコアの残厚等に応じて適宜設定されるが、２０４径，２０６径の缶蓋で、材質がアルミニウムやアルミニウム系合金製、肉厚が．０２２〜０．２６ｍｍ、スコア残厚が０．０７０〜０．１００ｍｍの場合、１．２〜１．４程度の範囲に設定することが有効である。
【００１８】
また、偏芯量Ｘとしては５ｍｍ程度まで偏芯させることが可能である。なお、偏芯量Ｘは、蓋の径サイズ、求める開口部の大きさ、タブの長さ等により決定される。
【００１９】
たとえば、２０４径の缶蓋の場合、リベット部を偏芯させない従来タイプの場合には、開口部長さが２０ｍｍで、開口部幅を２５．４ｍｍまで拡大させると開口部幅比αが１．２７と上限に近い値となったのに対して、リベット部３を１．２ｍｍ偏芯させて開口部長さＬを２２．８ｍｍまで長くした本発明の実施品の場合、開口部幅Ｗを２８．０ｍｍ程度まで拡大しても、開口部幅比αは１．２３程度に収まり、開口性を保持しつつ開口部を拡大することができた。仮に、開口部幅比αを１．３とすると、開口部幅を３０ｍｍまで拡大することができる。
開口部について、開口部長さＬを短径、開口部幅Ｗを長径とする楕円として開口面積を計算すると、リベット部を偏芯させない場合には４０５ｍｍ２  であったのに対して、リベット部を偏芯させた場合には４９５ｍｍ２まで開口面積を増大させることができた。
また、２０６径の缶蓋に適用した場合、リベット部３を２．５ｍｍ偏芯させて開口部長さＬを２５．４ｍｍまで長くした場合、開口部幅Ｗを３２．０ｍｍ程度まで拡大しても、開口部幅比αは１．２６程度に収まり、開口性を保持しつつ開口部を拡大することができる。
【図面の簡単な説明】
【００２０】
【図１】図１は本発明の実施の形態に係る易開封性缶蓋を示すもので、同図（Ａ）は開口前の状態の平面図、同図（Ｂ）は同図（Ａ）の開口状態の平面図である。
【図２】図２（Ａ）は図１の缶蓋のスコア形状を示す図、同図（Ｂ）は図１の缶蓋を取り付けた缶の開口状態を示す部分斜視図である。
【図３】図３（Ａ）は従来の広口の易開封性缶蓋の開口状態の平面図、同図（Ｂ）は同図（Ａ）の開口前の状態の平面図、同図（Ｃ）は同図（Ａ）のスコア形状を示す図である。
【符号の説明】
【００２１】
１  易開封性缶蓋
２  缶蓋本体
２１  パネル部、２２  周壁部、２３  巻締めカール部、２５  段差
３  リベット部
４  開口予定領域
５  スコア  
５１  主スコア、５２  補助スコア
５Ａ  初期破断部、５Ｂ  第１湾曲部、５Ｃ  第２湾曲部、
５Ｄ  外周側開口部先端位置
６  ヒンジ部
７  タブ
７１  先端部、７２  指掛け部、７２ａ  指掛け孔
８  開口部
９  開口片
Ｌ  開口部長さ
Ｗ  開口部幅
Ｎ  基準線
Ｏ  缶蓋本体の中心
【図１】
2006131236.tif 000003
【図２】
2006131236.tif 000004
【図３】
2006131236.tif 000005